(57)【要約】【課題】画像読取手段を有する切断装置に備えられ、ベース部の上面に透明シートを備えた保持部材にあって、透明シートが誤って切断されてしまうことを防止する。【解決手段】保持部材６１は、ベース部６２上に粘着部６３を備えると共に、挿入方向後方側の第一辺部６２ｄに接着した透明シート６４を開閉可能に備える。ベース部６２の挿入方向前方側の第二辺部６２ｃに自身の種類を示す第１標識６７を設ける。透明シート６４の先端部に、透明シート６４が閉塞位置にあることを示す第２標識６８を設ける。切断装置１の制御回路は、保持部材６１が挿入されたときに、スキャナ部の読取りにより、第１標識６７及び第２標識６８を検出した場合には、切断動作が実行不可である旨のメッセージを報知させ、第１標識６７を検出し且つ第２標識６８を検出しない場合に、切断動作を実行する。【選択図】図１
2015150647.tif 000002
【特許請求の範囲】
【請求項１】
画像読取手段を有する切断装置に用いられ、シート状の対象物を保持した状態で前記切断装置に挿入され、前記対象物の読取及び切断が行われるように構成された保持部材であって、
矩形形状に構成され上面に前記対象物が剥離可能に載置される粘着部を有するベース部と、
前記対象物を前記ベース部と間に挟み込んで保持するものであって、基端部が該ベース部の挿入方向後方側となる第一辺部に固定され、前記粘着部の上面側に重ねられる閉塞位置と、該粘着部を露出させる開放位置との間で開閉可能に設けられた透明シートと、
前記ベース部の挿入方向前方側である第二辺部側に設けられ自身の種類判別用の第１標識と、
前記透明シートの先端部に設けられ該透明シートが閉塞位置にあることを示すための第２標識と
を備えることを特徴とする保持部材。
【請求項２】
前記透明シートは、前記ベース部の大きさよりも小さい矩形形状に構成され、
該ベース部には、閉塞位置にある前記透明シートの先端部の角部が差し込まれて係止されるスリットが設けられていることを特徴とする請求項１記載の保持部材。
【請求項３】
前記ベース部の粘着部の大きさは、前記透明シートが閉塞位置にあるとき、その端部が該透明シートの先端部から露出する大きさであることを特徴とする請求項１記載の保持部材。
【請求項４】
前記ベース部には、挿入方向と交差する方向に凸となる誤挿入防止用の突出部が設けられていることを特徴とする請求項１から３のいずれか一項に記載の保持部材。
【請求項５】
請求項１から３のいずれか一項に記載の保持部材と、前記保持部材に保持されたシート状の対象物の画像を読取る画像読取手段と、前記保持部材に保持されたシート状の対象物を切断する切断手段とを備える切断装置であって、
前記保持部材の第１標識及び第２標識を検出する検出手段と、
少なくとも前記保持部材に関する情報を報知する報知手段と、
前記画像読取手段、前記切断手段、及び前記報知手段の動作を制御する制御手段と、
を備え、
前記保持部材が前記切断装置に挿入されて、前記検出手段が前記第１標識及び前記第２標識を検出した場合には、前記制御手段は、前記切断手段の切断動作が実行不可である旨のメッセージを前記報知手段により報知させ、
前記検出手段が、前記第１標識を検出し且つ前記第２標識を検出しない場合には、前記制御手段は、前記切断手段により切断動作を実行することを特徴とする切断装置。
【請求項６】
前記制御手段は、前記第１標識の検出動作を行って該第１標識を検出した後に、前記第２標識の検出動作を行うことを特徴とする請求項５記載の切断装置。
【請求項７】
前記画像読取手段が前記検出手段を兼用することを特徴とする請求項５又は６に記載の切断装置。
【発明の詳細な説明】
【技術分野】
【０００１】
本発明は、シート状の対象物を保持する保持部材、及び、その保持部材を備えた切断装置に関する。
【背景技術】
【０００２】
例えば複写機、ファクシミリ装置、スキャナ装置等の画像読取装置においては、紙等のシート状の読取対象物を移送する移送機構を備えると共に、移送方向と直交する方向に延びるイメージスキャナを備えて構成される。この種の画像読取装置では、シート状の読取対象物を保持するために、読取シートを使用するものがある（例えば、特許文献１参照）。
【０００３】
読取シートは、伝票等の紙片を貼付けるための粘着層を有する台紙と、台紙を覆う透明シートとを備えている。このとき、透明シートは、台紙の一辺部である挿入方向前辺部に熱圧着にて固定されており、それ以外の部分を台紙から剥離することができるようになっている。これにて、透明シートを開いた状態で、紙片を粘着層に貼付け、透明シートを閉じた状態とすることにより、紙片は読取シートに固定的に保持即ち挟持される。そして、イメージスキャナに読取シートを挿入し、紙送り機構により移送しながら、紙片の画像が読取られる。
【先行技術文献】
【特許文献】
【０００４】
【特許文献１】特開２００９−２８４０９１号公報
【発明の概要】
【発明が解決しようとする課題】
【０００５】
ところで、紙や布等の対象物を保持部材に保持させ、前記対象物を所望の形状に切断する切断装置、いわゆるカッティングプロッタが知られている。この切断装置に、イメージセンサ等の画像読取手段を設けることにより、保持部材に保持された対象物の位置や大きさ、輪郭等を検出したり、切断データを作成するための原画を読取ってカットラインを認識したりすることが考えられる。
【０００６】
この場合、原画の画像読取りの動作に関しては、上記した従来の保持部材（読取シート）を使用することは可能であるが、切断の動作に使用すると、透明シートまでもが切断されてしまう不都合がある。そこで、切断動作に関しては、透明シートが付いていない切断専用の保持部材を用いる必要がある。しかし、ユーザのミスにより、保持部材を誤って使用してしまうことがある。
【０００７】
本発明は上記事情に鑑みてなされたもので、その目的は、画像読取手段を有する切断装置に用いられ、ベース部の上面に透明シートを備えた保持部材にあって、透明シートが誤って切断されてしまうことを効果的に防止することができる保持部材及び切断装置を提供することにある。
【課題を解決するための手段】
【０００８】
上記目的を達成するために、本発明の請求項１の保持部材は、画像読取手段を有する切断装置に用いられ、シート状の対象物を保持した状態で前記切断装置に挿入され、前記対象物の読取及び切断が行われるように構成された保持部材であって、矩形形状に構成され上面に前記対象物が剥離可能に載置される粘着部を有するベース部と、前記対象物を前記ベース部と間に挟み込んで保持するものであって、基端部が該ベース部の挿入方向後方側となる第一辺部に固定され、前記粘着部の上面側に重ねられる閉塞位置と、該粘着部を露出させる開放位置との間で開閉可能に設けられた透明シートと、前記ベース部の挿入方向前方側である第二辺部側に設けられ自身の種類判別用の第１標識と、前記透明シートの先端部に設けられ該透明シートが閉塞位置にあることを示すための第２標識とを備えるところに特徴を有する。
【０００９】
上記構成の保持部材によれば、シート状の対象物は、ベース部の粘着部に載置されて保持される。その際、対象物をベース部に保持させる作業及び、対象物をベース部から剥離させて取出す作業は、一旦、透明シートを開放位置にした上で、対象物をベース部上に載置する、あるいは剥がすことにより行うことができる。また、画像読取手段により、保持した対象物の画像を読取らせる場合には、ベース部上に対象物を載置した上で透明シートを閉塞位置にすることにより、対象物の浮き上がりや位置ずれを防止することができる。また、透明シートの表面に切断線として読取らせるための線を、ペンで描画することもできる。
【００１０】
また、保持部材を、切断時にも用いることができる。この場合、透明シートの基端側の固定部分がベース部の挿入方向後方側となる第一辺部であるため、透明シートを開放位置に移動させることにより、切断領域以外の位置に退避させることができる。従って、透明シートをめくって開放させた状態で、切断動作を行うことができる。これにより、保持部材を、対象物の画像読取及び切断に兼用することが可能となる。
【００１１】
そして、透明シートの先端部に第２標識が設けられているので、ユーザが、ベース部の第二辺部側に第２標識を視認することによって、透明シートがベース部上を覆っている、つまり閉塞位置にあることを認識することができる。従って、ユーザは透明シートが閉塞位置にあることを容易に気付き、閉塞位置のままで切断動作を行ってしまうことを抑制する効果が得られる。
【００１２】
本発明の請求項５の切断装置は、上記請求項１に記載の保持部材と、前記保持部材に保持されたシート状の対象物の画像を読取る画像読取手段と、前記保持部材に保持されたシート状の対象物を切断する切断手段とを備える切断装置であって、前記保持部材の第１標識及び第２標識を検出する検出手段と、少なくとも前記保持部材に関する情報を報知する報知手段と、前記画像読取手段、前記切断手段及び前記報知手段の動作を制御する制御手段と、を備え、前記保持部材が前記切断装置に挿入されて、前記検出手段が前記第１標識及び前記第２標識を検出した場合には、前記制御手段は、前記切断手段の切断動作が実行不可である旨のメッセージを前記報知手段に報知させ、前記検出手段が、前記第１標識を検出し且つ前記第２標識を検出しない場合には、前記制御手段は、前記切断手段により切断動作を実行するところに特徴を有する。
【００１３】
上記構成の切断装置によれば、上記請求項１に記載の保持部材を備えるので、対象物を保持部材により保持させた状態で、画像読取手段による対象物の画像読取り、及び切断手段による対象物の切断の動作を行うことができる。また、検出手段により、保持部材の第１標識及び第２標識を自動で検出することが可能となる、画像読取手段、切断手段、及び報知手段の動作を制御する制御手段は、保持部材が装置内に挿入されたときに、検出手段が保持部材の第１標識及び第２標識を検出した場合には、切断手段の切断動作が実行不可である旨のメッセージを報知手段に報知させ、検出手段が第１標識を検出し且つ第２標識を検出しない場合には、切断動作を実行させるので、透明シートを誤って切断することを確実に防止することができる。
【発明の効果】
【００１４】
本発明の請求項１の保持部材によれば、画像読取手段を有する切断装置に用いられ、ベース部の上面に透明シートを備えた保持部材にあって、粘着部を有するベース部と、基端部がベース部の挿入方向後方側となる第一辺部に固定され閉塞位置と開放位置との間で開閉可能に設けられた透明シートと、自身の種類判別用の第１標識と、前記透明シートが閉塞位置にあることを示すための第２標識とを備えるので、透明シートが誤って切断されてしまうことを防止することができるという優れた効果を奏する。
【００１５】
本発明の請求項５の切断装置によれば、請求項１に記載の保持部材を備えるので、請求項１と同様の効果を奏すると共に、検出手段の第１標識及び第２標識の検出結果に基づいて、制御手段が報知手段及び切断手段の動作を制御するので、保持部材に保持された対象物に対して適切に切断動作が実行される。
【図面の簡単な説明】
【００１６】
【図１】本発明の第１の実施形態を示すもので、切断装置の内部構造及び保持部材を示す斜視図
【図２】切断装置の内部構造を示す平面図
【図３】図２のIII−III線に沿う縦断左側面図
【図４】切断ヘッドの右側面図
【図５】カッタカートリッジの正面図
【図６】切断時の様子を示すカッタ部分の拡大縦断面図
【図７】電気的構成を概略的に示すブロック図
【図８】保持部材の平面図（ａ）及び透明シートを開放した状態の斜視図（ｂ）
【図９】制御回路が実行する第１標識の検出に関する処理の概略を示すフローチャート
【図１０】切断動作の実行時の処理手順を示すフローチャート
【図１１】図１０のステップＳ１２の詳細な処理手順を示すフローチャート
【図１２】本発明の第２の実施形態における保持部材の平面図
【図１３】本発明の第３の実施形態における要部の斜視図
【発明を実施するための形態】
【００１７】
（１）第１の実施形態
以下、本発明を具体化した第１の実施形態について、図１から図１１を参照しながら説明する。図１に示すように、本実施形態に係る切断装置１は、本体カバー２と、本体カバー２内に配設されたプラテン３と、カッタカートリッジ４（図４、図５等参照）を有する切断ヘッド５とを備えている。切断ヘッド５は、例えば紙や布等のシート状の対象物Ｗ（図６参照）を切断するもので、切断手段として機能する。詳しくは後述するが、切断ヘッド５は、キャリッジ１９や、カッタカートリッジ４が着脱可能に装着されるカートリッジホルダ３２を備えている。また、後述するように、切断装置１は、シート状の対象物Ｗの画像を読取る画像読取手段としてのスキャナ部６（図２、図７参照）を備えている。
【００１８】
切断装置１は、図１に示すように、対象物Ｗ（図６参照）を保持するための保持部材６１を備える。詳しくは後述するが、保持部材６１は、全体として矩形薄板状をなすベース部を備え、ベース部上に対象物Ｗを載置状態に保持するように構成されている。尚、対象物Ｗを保持するための保持部材として、対象物Ｗの画像読取及び切断の両方に用いる本実施形態に係る保持部材６１と、対象物Ｗの切断だけに用いる切断用保持部材（図示せず）との少なくとも２種類が用意されている。ユーザは、使用目的に合わせて、それらを自在に使い分けることができる。
【００１９】
図１に示すように、本体カバー２は、前面がやや斜めに下降傾斜した横長な矩形箱状をなしており、前面部には横長に開口する前面開口部２ａが形成されている。また、本体カバー２の前面の下辺部には、前面開口部２ａを開閉するための前カバー１０が回動操作可能に設けられている。図１に示すように、保持部材６１は、前カバー１０が開放された状態で、切断装置１内に前方から挿入され、プラテン３上にセットされる。
【００２０】
本体カバー２の上面の右側部位には、操作パネル９が設けられている。操作パネル９は、横長矩形パネル状をなし、正面にはフルカラー液晶ディスプレイからなるディスプレイ９ａが設けられると共に、ユーザが各種の指示や選択、入力の操作を行うための各種操作スイッチ９ｂが設けられている。各種操作スイッチ９ｂには、ディスプレイ９ａの表面に設けられるタッチパネルが含まれる。ディスプレイ９ａは、後述のように、ユーザにエラー報知を行うための報知手段の一部として機能する。操作パネル９は、本体カバー２の上面の凹部２ｂ内に収容された不使用位置と、図示のように正面部を前方に向けて斜めに立ち上がった使用位置との間で、位置の変更が可能である。
【００２１】
本体カバー２内には、図２にも示すように、機枠１１が設けられており、機枠１１上にプラテン３が設けられている。プラテン３は、図２に示すように、前プラテン３ａと後プラテン３ｂとから構成されている。プラテン３の上面部は、水平面状をなし、対象物Ｗを保持した保持部材６１が載置された状態で移送される。機枠１１には、プラテン３の右左両側に夫々位置して、右側壁部１１ａ及び左側壁部１１ｂが向い合うように設けられている。そして、本体カバー２内の機枠１１には、保持部材６１をプラテン３上で前後方向（Ｙ方向）に移送する移送機構７が設けられる。更に、切断ヘッド５つまりキャリッジ１９を、保持部材６１の移送方向と交差（この場合直交）する左右方向（Ｘ方向）に移動させるカッタ移動機構８が設けられる。ここで、本実施形態における方向について定義する。移送機構７の移送方向を、前後方向であるＹ方向とする。カッタ移動機構８の移動方向を、左右方向であるＸ方向とする。前後方向と左右方向とに直交する方向を、上下方向であるＺ方向とする。
【００２２】
次に、移送機構７を説明する。図１、図２に示すように、右側壁部１１ａと左側壁部１１ｂとの間には、前プラテン３ａと後プラテン３ｂとのなす隙間部分に位置して、Ｘ方向に夫々延びる駆動ローラ１２及びピンチローラ軸１３が上下に並ぶように設けられている。駆動ローラ１２は、上端がプラテン３の上面とほぼ同等の高さとなるようにして、両端側が、右左の側壁部１１ａ、１１ｂに回転可能に支持されている。これと共に、図２に示すように、駆動ローラ１２の右端部は、右側壁部１１ａを貫通して右方に延び、その先端に径大な従動ギヤ１７が固着されている。
【００２３】
図２に示すように、右側壁部１１ａの外面側には、取付フレーム１４が取付けられる。取付フレーム１４に、例えばステッピングモータからなるＹ軸モータ１５が取付けられている。Ｙ軸モータ１５の出力軸には、径小な駆動ギヤ１６が固定され、駆動ギヤ１６が従動ギヤ１７に噛合っている。これにて、Ｙ軸モータ１５の正逆回転により、駆動ローラ１２が正逆方向に回転駆動される。
【００２４】
ピンチローラ軸１３は、両端部が、右左の側壁部１１ａ、１１ｂに回転可能、且つ上下方向（対象物Ｗ等の厚み方向）に若干量の変位が可能に支持されている。ピンチローラ軸１３は、右左の側壁部１１ａ、１１ｂの外面側に夫々配設された図示しない引張コイルばねより、常に下方つまり駆動ローラ１２側に付勢されている。また、図１、図２に示すように、ピンチローラ軸１３には、左右の端部寄り部位に位置して、やや径大なローラ部１３ａ（右側のみ図示）が設けられている。
【００２５】
これにて、保持部材６１の左右の縁部が、駆動ローラ１２と、ピンチローラ軸１３のローラ部１３ａとの間において夫々挟持される。移送機構７は、保持部材６１の左右の縁部を駆動ローラ１２とピンチローラ軸１３のローラ部１３ａとの間に挟んだ状態で、Ｙ軸モータ１５の駆動に伴う駆動ローラ１２の回転駆動によって、Ｙ方向に自在に移送させる。尚、プラテン３部分には、ピンチローラ軸１３のローラ部１３ａと駆動ローラ１２との間に、前方から保持部材６１の前端部が挿入されたことを検出する検出センサ７６（図７にのみ図示）が設けられている。
【００２６】
カッタ移動機構８は、切断ヘッド５（キャリッジ１９）を、Ｘ方向へ自在に移動させるもので、次の構成を備える。図１〜図３に示すように、右左の側壁部１１ａ、１１ｂ間には、ピンチローラ軸１３よりもやや後部寄りの上方に位置し、ピンチローラ軸１３とほぼ平行、つまりＸ方向に延びるガイドレール２１、２２が配設されている。図３に示すように、ガイドレール２１、２２は、上下に並んで配置され、上側のガイドレール２１は、下方が開口したコ字状の断面形状を有し、下側のガイドレール２２は、上方が開口したコ字状の断面形状を有している。
【００２７】
図３に示すように、上側のガイドレール２１の上面部には、左右方向に全体に渡って延びる断面Ｖ字状のガイド溝２１ａが形成されている。また、下側のガイドレール２２の下面部にも、左右方向に全体に渡って延びる断面Ｖ字状のガイド溝２２ａが形成されている。また、図３に示すように、キャリッジ１９の上下部には、ガイド溝２１ａ，２２ａに夫々係合する断面山形の突条部２３，２３が左右方向に延びて一体に設けられている。キャリッジ１９は、２個のガイドレール２１，２２を上下から挟むようにして突条部２３，２３が夫々ガイド溝２１ａ，２２ａにスライド移動可能に係合されることにより、左右（Ｘ）方向へのスライド移動が可能に支持されている。
【００２８】
図１、図２に示すように、左側壁部１１ｂの外面側の後部寄りには、水平状の取付フレーム２４が固定されている。左側の取付フレーム２４には、後側に位置してＸ軸モータ２５が下向きに取付けられると共に、前側に垂直方向に延びるプーリ軸２６が設けられている。Ｘ軸モータ２５の出力軸には、径小な駆動ギヤ２７が固定されている。プーリ軸２６には、駆動ギヤ２７に噛合する径大な従動ギヤ２９と、タイミングプーリ２８とが回転可能に支持されている。タイミングプーリ２８と従動ギヤ２９は一体的に回転する。
【００２９】
一方、図２に示すように、右側の取付フレーム１４には、タイミングプーリ３０が軸方向を上下方向として回転可能に設けられている。タイミングプーリ３０とタイミングプーリ２８との間に、無端状のタイミングベルト３１が左右方向に延びて水平に掛け渡されている。タイミングベルト３１の途中部が、キャリッジ１９の取付部（図示略）に連結されている。これにて、カッタ移動機構８が構成され、Ｘ軸モータ２５の回転駆動により、その回転駆動力が従動ギヤ２９及びタイミングプーリ２８を介してタイミングベルト３１に伝わり、キャリッジ１９つまり切断ヘッド５を左右方向に自在に移動させる。
【００３０】
切断ヘッド５は、キャリッジ１９の前面側にカートリッジホルダ３２を備えると共に、キャリッジ１９の背面側に、カートリッジホルダ３２を上下方向（Ｚ方向）に駆動させる上下駆動機構３３を備える。切断ヘッド５の構成を、図３〜図６も参照しながら説明する。図３等に示すように、キャリッジ１９は、側面から見てほぼコ字状の主部と、背面を塞ぐように配置される背面板２０と左右部が開放した矩形箱状をなし、ガイドレール２１，２２の前後及び上下を囲う形状をなしている。キャリッジ１９の上下壁の内面部には、突条部２３，２３が形成されている。
【００３１】
図３、図４に示すように、キャリッジ１９の前面部には、左右の辺部の各上下２箇所に位置して合計４個の支持部３４が、前方に突出して一体に設けられている。図３に示すように、左側の上下２箇所の支持部３４には、上下に延びる軸３５が貫通状態に支持固定され、図４に示すように、右側の上下２箇所の支持部３４には、上下に延びる軸３６が貫通状態に支持固定されている。後述するように、カートリッジホルダ３２は、軸３５，３６により上下動可能に支持される。この場合、カートリッジホルダ３２は、後述するカッタにより切断の対象物Ｗに対する切断を行う下降位置（図３に二点鎖線で示す）と、カッタの刃先が対象物Ｗから上方に所定距離だけ離間する上昇位置（図３に実線で示す）との間で移動可能に構成される。
【００３２】
図３に示すように、前記キャリッジ１９の背面板２０には、やや上寄りに位置して、上下駆動機構３３を構成するＺ軸モータ３８が前向きに取付けられている。Ｚ軸モータ３８は、例えばステッピングモータからなり、出力軸の先端には、キャリッジ１９内に位置して、径小な駆動ギヤ４４が固定されている。また、キャリッジ１９内の上下方向中間部には、駆動ギヤ４４の右下側に位置して、前後方向に延びるギヤ軸３９が取付けられている。
【００３３】
キャリッジ１９内には、駆動ギヤ４４に噛合う従動ギヤ４１がギヤ軸３９に回転可能に支持されていると共に、前側に位置してピニオンギヤ４２が該ギヤ軸３９に回転可能に支持されている。従動ギヤ４１の後面側には径小な円筒部４０が同軸状に一体に設けられており、円筒部４０の中空部が、従動ギヤ４１内に連続して延び、従動ギヤ４１の前面で開口している。前記中空部には、前記ギヤ軸３９の外周に位置してねじりコイルばね４３が収容されている。
【００３４】
ピニオンギヤ４２は、後面側に径大なフランジ部４２ａが一体に設けられ、フランジ部４２ａが従動ギヤ４１の前面開口部を摺動可能に覆っている。ねじりコイルばね４３は、後端が従動ギヤ４１側である円筒部４０の内周面に係止され、前端がピニオンギヤ４２のフランジ部４２ａに係止されている。そして、図示はしないが、ピニオンギヤ４２は、カートリッジホルダ３２に一体的に設けられた上下方向に延びるラックに噛合っている。
【００３５】
これにて、Ｚ軸モータ３８、従動ギヤ４１、ピニオンギヤ４２、ねじりコイルばね４３、ラック等から上下駆動機構３３が構成される。例えばＺ軸モータ３８が正転されると、その駆動力が、駆動ギヤ４４、従動ギヤ４１、ねじりコイルばね４３、及びピニオンギヤ４２を介して前記ラックに伝達され、カートリッジホルダ３２が下降される。また、Ｚ軸モータ３８が反転されると、カートリッジホルダ３２が上昇される。このとき、詳しい説明は省略するが、カートリッジホルダ３２の下降時においては、ねじりコイルばね４３により、所定のカッタ圧が得られるようになっている。
【００３６】
尚、詳しい図示は省略するが、キャリッジ１９の背面側には、カートリッジホルダ３２が上昇位置にあることを検出するための、例えば光学センサからなる上昇位置検出センサ４５（図７参照）が設けられている。また、キャリッジ１９の前壁部には、カートリッジホルダ３２にカッタカートリッジ４が装着されていることを検出するための、例えばマイクロスイッチ等からなるカートリッジ検出センサ４６（図７参照）が設けられている。
【００３７】
ここで、詳しくは後述するが、カートリッジホルダ３２に着脱可能に装着されるカッタカートリッジ４は、図４、図５に示すように、全体として円筒状に構成されている。カートリッジホルダ３２は、次のように構成されている。図３、図４に示すように、カートリッジホルダ３２は、キャリッジ１９の左右の軸３５，３６間に配置される大きさの、前面が開口した矩形箱状をなしている。カートリッジホルダ３２の左右の壁部の外面後部側には、夫々上下部に位置して合計４個の支持片４７が側報に突出するように設けられている。各支持片４７が、軸３５，３６に嵌挿状態に支持されることにより、カートリッジホルダ３２がキャリッジ１９に対し上下動可能に支持されている。このとき、各支持片４７は、キャリッジ１９の各支持部３４の上部に位置され、各支持部３４に各支持片４７が上方から当接することによってカートリッジホルダ３２の下降位置が規定される。
【００３８】
カートリッジホルダ３２の上壁部４８には、カッタカートリッジ４が上方から挿通される円形開口部（図示せず）が形成されている。また、カートリッジホルダ３２の下壁部４９にも、カッタカートリッジ４が上方から挿通される開口部４９ａ（図４参照）が形成されている。このとき、図４に一部示すように、開口部４９ａの内周壁は、カッタカートリッジ４を係止して、下方への変位を規制して位置決めするテーパ状に形成されている。尚、キャリッジ１９には、カートリッジホルダ３２の前面及び上下部を除いて、各支持片４７や軸３５，３６等を覆うカバー部材３７（図１、図２参照）が設けられている。
【００３９】
カートリッジホルダ３２には、カッタカートリッジ４を固定及び固定解除するためのレバー部材５０が設けられている。左右のアーム部と、それら両アーム部の先端部同士を、カートリッジホルダ３２の前面側で左右方向につなぐように延びる操作部とを備えて構成されている。図３、図４に示すように、レバー部材５０の左右のアーム部の基端側には、軸部５０ａが一体に設けられている。レバー部材５０は、各軸部５０ａが、カートリッジホルダ３２の左右の側壁部に形成された穴３２ａに嵌合支持されることにより、左右方向に延びる軸を中心に回動可能に枢支されている。
【００４０】
これにて、レバー部材５０は、図４に二点鎖線で示すような、操作部が上方に位置する開放位置と、図４に実線で示すような、操作部が下方に位置する固定位置との間で回動操作可能とされている。そして、レバー部材５０の左右のアーム部の内面部には、カッタカートリッジ４を固定するための係合凸部５１が設けられている。図４に示すように、レバー部材５０の開放位置では、係合凸部５１は、カッタカートリッジ４の前方の当接しない位置にあるので、カッタカートリッジ４の出し入れ、即ち装着及び抜出しの操作が可能となる。これに対し、レバー部材５０の固定位置では、係合凸部５１が、カッタカートリッジ４の外周面部に当接して下方に押圧し、もって、カッタカートリッジ４がカートリッジホルダ３２に固定される。
【００４１】
次に、カッタカートリッジ４について、図５、図６も参照して述べる。カッタカートリッジ４は、切断刃であるカッタ５２（図６参照）と、カッタ５２を収容保持するほぼ円筒状をなすケース本体５３とを備えている。図６に示すように、カッタ５２は、下端部に、対象物Ｗに対して傾斜する略三角形状の刃先部５２ａを有している。そして、カッタ５２は、上部に上下方向に延びる丸棒状をなすカッタ軸５４を一体に有している。尚、刃先部５２ａは、カッタ軸５４の中心軸線ａから距離ｄだけ偏心している。図示はしないが、カッタ５２は、カッタ軸５４がケース本体５３の内部で軸受を介して中心軸線ａ回りに同軸回転可能に支持されている。
【００４２】
ケース本体５３は、上下方向に延びる円筒状をなし、上端部には、つまみ部５３ａが設けられている。また、ケース本体５３の下部寄り部位の左右側部には、係合凸部５１を逃げるための凹部５３ｂが形成されている。ケース本体５３の下端部には、下部キャップ部５５が装着されている。下部キャップ部５５は、ほぼ上半部がケース本体５３の下部外周に嵌る円筒状をなし、下部に、テーパ部５５ａを介して径小部５５ｂを一体に有している。レバー部材５０の係合凸部５１は、下部キャップ部５５の上端に係合し、カッタカートリッジ４を下方に押圧する。テーパ部５５ａは、カートリッジホルダ３２の下壁部４９の開口部４９ａの内面のテーパ形状に対応している。図６に示すように、径小部５５ｂは有底状に構成され、中心部に、カッタ５２の刃先部５２ａが挿通する孔５５ｃが形成されている。
【００４３】
このとき、詳しく図示はしないが、ケース本体５３の下部外周には雄ねじ部が形成され、下部キャップ部５５の上部内周面には、前記雄ねじ部が螺合する雌ねじ部が形成され、以て、ケース本体５３と下部キャップ部５５とはねじにより結合されている。これにて、ケース本体５３に対して下部キャップ部５５は、若干の上下方向の位置調整が可能とされている。この構成により、切断する対象物Ｗの厚みや種類に応じて、下部キャップ部５５をケース本体５３に対し微小な回転操作によって螺進退させることにより、径小部５５ｂの下面の孔５５ｃからの刃先部５２ａの突出寸法αを微調整することができる。尚、下部キャップ部５５の外周面には、突出寸法αの調整用の目盛りが設けられている。
【００４４】
以上の構成により、カートリッジホルダ３２のレバー部材５０を上方の開放位置に回動させた状態では、カッタカートリッジ４に係合凸部５１が干渉しないので、ユーザが、つまみ部５３ａをつまんでカッタカートリッジ４を上方に抜出してカートリッジホルダ３２から取外したり、新たなカッタカートリッジ４をカートリッジホルダ３２に上方から挿入したりすることができる。カッタカートリッジ４の挿入後、ユーザがレバー部材５０を下方の固定位置に回動操作することにより、係合凸部５１が下部キャップ部５５の上端に係合し、カッタカートリッジ４を下方に押圧するようになり、テーパ部５５ａがカートリッジホルダ３２の下壁部４９の開口部４９ａの内面に密着するようにして固定される。このように、ユーザはカッタカートリッジ４をカートリッジホルダ３２に着脱することができる。
【００４５】
上記のようにカッタカートリッジ４が装着されたカートリッジホルダ３２は、通常時即ち切断動作を行っていないときには、上昇位置に位置されており、切断動作時において、上下駆動機構３３により下降位置に移動される。この状態では、図６に示すように、カッタ５２の刃先部５２ａが保持部材６１上の対象物Ｗに圧接して貫通した状態になる。この状態で、移送機構７により、保持部材６１に保持された対象物ＷをＹ方向に移動させながら、カッタ移動機構８により切断ヘッド５つまりカッタ５２をＸ方向に移動させることにより、対象物Ｗに対する切断動作が行われる。尚、切断動作終了後は、保持部材６１（対象物Ｗ）は、移送機構７により切断装置１の前面から前方に排出される。
【００４６】
そして、本実施形態では、図２に示すように、切断装置１には、対象物Ｗ等の画像を読取る画像読取手段としてのスキャナ部６が設けられている。このスキャナ部６は、例えば密着型イメージセンサ（ＣＩＳ：Contact Image Sensor)からなり、詳しく図示はしないが、Ｘ方向に並設された複数の撮像素子からなるラインセンサと、ランプ等の光源と、レンズとを一体に有して構成されている。スキャナ部６は、ガイドレール２１の後ろ側に位置し、保持部材６１の幅寸法とほぼ同等の長さでＸ方向に延びて下向きに設けられている。
【００４７】
スキャナ部６は、下面の読取部のコンタクトガラスが、対象物Ｗの上面側に近接した状態で、保持部材６１を、移送機構７によりプラテン３上を後方向に移動させながら、該対象物Ｗの表面（上面）の画像を読取る。具体的には、スキャナ部６は、保持部材６１に保持された対象物Ｗの画像を読取ってその位置や大きさを検出してディスプレイ９ａに表示したり、切断データの原画の画像を読取って切断データを作成したりするために用いられる。さらには、後述するように、スキャナ部６は、保持部材６１の各標識の画像を読取って保持部材の種類の判別や動作制御等を行うめにも用いられる。スキャナ部６は、図７に示すように、後述する制御回路７１により制御される。
【００４８】
さて、保持部材６１について述べる。図１、図８に示すように、保持部材６１は、比較的軟質な合成樹脂材料からなり、前後方向にやや長い矩形シート状に構成されたベース部６２と、ベース部６２の上面に対象物Ｗが載置される粘着部６３（便宜上斜線を付して示す）とを備えている。粘着部６３は、ベース部６２の上面のうち、左右の縁部６２ａ、６２ｂ、及び前後の辺部６２ｃ、６２ｄを除いた内側の矩形の領域に、粘着剤を塗布して構成される。ベース部６２の前後の辺部６２ｃ、６２ｄのうち、挿入方向即ち矢印Ａ方向前方側の辺部を、第二辺部６２ｃと称し、挿入方向後方側の辺部を、第一辺部６２ｄと称する。
【００４９】
図６に示すように、粘着部６３に紙や布等のシート状の対象物Ｗが貼付けられることにより、対象物Ｗが剥離可能に保持される。このとき、粘着部６３の粘着力は、切断作業及び読取作業時に対象物Ｗを移動不能に確実に保持し、且つ、各作業後には対象物Ｗを比較的容易に剥がせるように設定されている。尚、詳しくは後述するが、図６に示す保持部材６１は、透明シート６４が開放位置にある場合（図８（ｂ）参照）を示しているので、透明シート６４は図示されていない。また、保持部材６１においては、図１に示すように、例えば粘着部６３のいずれかの角部を原点ＯとしたＸ−Ｙ座標系が設定され、Ｘ−Ｙ座標系に基づいて後述する切断の動作等が制御される。
【００５０】
更に、図１、図８に示すように、ベース部６２の上面には、粘着部６３に載置された対象物Ｗ（図示せず）の上面を覆い、対象物Ｗを挟んで保持するための透明シート６４が設けられる。透明シート６４は、透明のシートであって軟質な合成樹脂シートからなり、粘着部６３よりもやや大きく、ベース部６２よりはやや小さい矩形状をなしている。透明シート６４は、基端部の辺部即ち後辺部が、ベース部６２の第一辺部６２ｄ上に、直線状の接着部６４ａ（太線で示す）によって接着されている。具体的には、透明シート６４の後辺部は、例えば熱溶着又は接着剤によって、ベース部６２の第一辺部６２ｄに接着されている。
【００５１】
これにより、透明シート６４は、図１及び図８（ａ）に示すように、粘着部６３に粘着させた状態であって粘着部６３全体を覆う閉塞位置と、図８（ｂ）に示すように、先端部をベース部６２から上方にめくるように持ち上げて粘着部６３を露出させた開放位置との間で、開閉可能とされている。また、ベース部６２の第二辺部６２ｃには、透明シート６４の先端部の左右の角部が差し込まれて係止される２つのスリット６５が設けられている。各スリット６５は、斜め方向に延びる切込み状に形成され、閉塞位置にある透明シート６４の角部が差し込まれることにより、透明シート６４の角部が捲れ上ることが防止される。尚、スキャナ部６が、透明シート６４を透過して、粘着部６３上に載置された対象物Ｗの上面の画像を読取ることが可能であることは勿論である。
【００５２】
そして、保持部材６１のベース部６２のうち、挿入方向前方の第二辺部６２ｃの上面部には、左右方向中央部に位置して、方向指示標識６６が設けられている。方向指示標識６６は、切断装置１に対する保持部材６１の挿入方向（矢印Ａ方向）を示す標識であって、三角形状の印である。また、第二辺部６２ｃの上面部の左右部に夫々位置して、保持部材６１の自身の種類を示すための第１標識６７が設けられている。第１標識６７は、小さい黒丸を左右方向に２個並べた印からなる。スキャナ部６が第１標識６７を読取ることに基づいて、制御回路７１が保持部材６１の種類を識別する。
【００５３】
一方、透明シート６４の先端部の左右部には、図１、図８に示すように、透明シート６４が閉塞位置にあることを示す第２標識６８が設けられている。第２標識６８は、第１標識６７とは異なる標識であって、左右方向に細長い略矩形形状の印からなる。第２標識６８は、透明シート６４の閉塞位置においては、第１標識６７のやや後部に位置されるように設けられる。スキャナ部６が第２標識６８を読取ることに基づいて、制御回路７１が透明シート６４が閉塞位置にあるか否かを判別する。このように、本実施形態では、画像読取手段としてのスキャナ部６が、第１標識６７及び第２標識６８を検出するための検出手段を兼用している。
尚、具体的には、方向指示標識６６及び第１標識６７はベース部６２に印刷された印であり、第２標識６８は透明シート６４に印刷された印である。
【００５４】
尚、本実施形態においては、図示は省略するが、上記保持部材６１とは別に、切断だけに用いる切断用保持部材も用意されている。切断用保持部材は、保持部材６１と同様に、ベース部と粘着部とを有して構成され、その夫々の大きさ、形状、及び粘着部の粘着力は保持部材６１と同じである。しかしながら、切断用保持部材は、透明シートを有していない。また、切断用保持部材の前端部には、保持部材６１と同様に、方向指示標識と、自身の種類を示す第１標識とが設けられている。切断用保持部材の方向指示標識は、保持部材６１の方向指示標識６６と同じ印である。一方、切断用保持部材の第１標識は、保持部材６１の第１標識６７とは異なる印であって、１個の黒丸からなる。スキャナ部６が切断用保持部材の第１標識を読取ることに基づいて、制御回路７１が、切断用保持部材を識別する。
【００５５】
次に、切断装置１の制御系の構成について、図７を参照しながら説明する。切断装置１全体の制御を司る制御手段としての制御回路７１は、コンピュータ（ＣＰＵ）を主体に構成されており、ＲＯＭ７２、ＲＡＭ７３、ブザー７４、外部メモリ７５が接続されている。ＲＯＭ７２には、切断動作を制御するための切断制御プログラムや、切断データ作成のプログラム、ディスプレイ９ａの表示を制御する表示制御プログラム等の各種制御プログラムが記憶されている。ＲＡＭ７３には、各種処理に必要なデータやプログラムが一時的に記憶される。
【００５６】
制御回路７１には、スキャナ部６からの読取画像信号が入力されると共に、各種操作スイッチ９ｂの操作信号が入力される。また、制御回路７１には、上昇位置検出センサ４５の信号や、カートリッジ検出センサ４６の信号が入力される。更に、制御回路７１には、保持部材６１の前端部の第二辺部６２ｃが、前記ピンチローラ軸１３のローラ部１３ａと駆動ローラ１２との間に挿入されたことを検出する検出センサ７６の信号が入力される。外部メモリ７５には、複数種類の模様について、その模様を切断するための切断データが記憶されている。切断データは、基本サイズ情報及び切断ラインデータと、表示用のデータとを含んだものである。基本サイズ情報は、模様の縦横の大きさを表す値で、模様の形状に対応する形状データである。切断ラインデータは、複数の線分からなる切断ラインの頂点を夫々ＸＹ座標によって示した座標値のデータからなり、切断装置１のＸＹ座標系で規定されている。
【００５７】
また、制御回路７１には、ディスプレイ（ＬＣＤ）９ａが接続されている。ディスプレイ９ａの画面には、モード選択画面や模様選択画面、配置表示画面等が表示される。ユーザは、ディスプレイ９ａの表示を見ながら、各種操作スイッチ９ｂを操作することにより、動作モードを選択したり、所望する模様を選択したり、切断位置を設定したりすることができる。制御回路７１はブザー７４の鳴動を制御する。このとき、本実施形態では、後述するように、ディスプレイ９ａにおける表示及びブザー７４の鳴動により、ユーザに対する保持部材６１に関する報知がなされ、ディスプレイ９ａ及びブザー７４が報知手段として機能する。
【００５８】
更に、制御回路７１には、Ｙ軸モータ１５、Ｘ軸モータ２５、Ｚ軸モータ３８を夫々駆動する駆動回路７７、７８、７９が接続されている。制御回路７１は、切断制御プログラムの実行により、Ｙ軸モータ１５、Ｘ軸モータ２５、Ｚ軸モータ３８を制御し、保持部材６１上の対象物Ｗに対する切断動作等を自動で実行させる。これにて、制御回路７１は、対象物Ｗに対する模様の切断動作を実行する際には、当該模様の切断データ、つまり切断ラインのデータに基づき、対象物Ｗを保持した保持部材６１、或いは切断専用の保持部材を、移送機構７によりＹ方向に移動させながら、カッタ移動機構８により切断ヘッド５ひいてはカッタ５２をＸ方向に移動させることにより、模様の輪郭線に沿って対象物Ｗを切断する。
【００５９】
また、制御回路７１は、スキャナ部６による画像読取り動作を実行させる際には、画像読取り用の対象物Ｗを保持した保持部材６１を、移送機構７によってプラテン３の後部側へＹ方向に移動させながら、その移動に同期してスキャナ部６による読取動作を行うことにより、対象物Ｗの読取画像を取得する。制御回路７１は、スキャナ部６により読取った読取画像を周知の画像処理の手法で処理して、対象物Ｗの輪郭線や模様形状等を抽出する。尚、対象物Ｗの輪郭線や模様形状が明瞭でない場合には、スキャナ部６は、輪郭線や模様形状を正確に読取ることができない。この場合、ユーザは、透明シート６４の表面に、輪郭線や模様形状に沿ってペンで線を描画すればよい。このようにすれば、スキャナ部６は、輪郭線や模様形状の代わりに、ペンで描画した線を正確に読取ることができる。
【００６０】
本実施形態では、制御回路７１は、次の作用説明（フローチャート説明）でも述べるように、ソフトウエア的構成により、次のような処理を実行する。即ち、制御回路７１は、検出センサ７６により保持部材６１が切断装置１に挿入されたことを検出すると、まず、移送機構７を駆動して保持部材６１を移送し、スキャナ部６による保持部材６１の第１標識６７の読取り処理を実行し、第１標識６７の種類を判別する。即ち、制御回路７１は、切断装置１に挿入された保持部材が、保持部材６１か否かを判断する。
【００６１】
ここで、第１標識６７が検出できなかった場合には、制御回路７１は、保持部材６１の挿入方向が誤りであるか、又は正規の保持部材ではない旨のエラーメッセージを、ディスプレイ９ａにおいて表示させると共に、ブザー７４の鳴動によりエラーを報知する。
スキャナ部６により第１標識６７の検出が行われた場合は、制御回路７１は、切断装置１に挿入された保持部材が、正規の保持部材６１であって且つ正しい方向に挿入されたと判断する。その後、制御回路７１は、移送機構７を駆動して、保持部材６１を後退させて退避位置、即ち保持部材６１の先端のみが駆動ローラ１２とローラ部１３ａとの間に挟まれた位置に移動させる。
一方、切断装置１に切断用保持部材を挿入した場合には、上記と同様に読取り処理が実行されて切断用保持部材の第１標識が読取られ、制御回路７１は切断用保持部材を識別する。そして、制御回路７１は、引続き、切断用保持部材に保持された切断の対象物Ｗに対する切断動作を実行する。
【００６２】
次に、保持部材６１が退避位置にある状態で、制御回路７１が切断動作の指令を受けると、制御回路７１は、移送機構７を駆動して保持部材６１を移送し、第２標識５８の読取り処理を実行する。スキャナ部６により第２標識５８が検出された場合には、制御回路７１は、切断動作が実行不可である旨のメッセージをディスプレイ９ａに表示させると共に、ブザー７４の鳴動によりエラーを報知する。一方、第２標識５８が検出されなかった場合には、制御回路７１は、切断動作を実行する。尚、この場合、保持部材６１の第１標識６７が検出された場合にのみ、第２標識６８の検出動作が実行される。
【００６３】
次に、上記構成の作用について、図９から図１１も参照して述べる。まず、ユーザが、切断装置１において、切断データの作成のため、原画が描かれた対象物Ｗの画像読取りを実行させる場合を説明する。ユーザは、保持部材６１の透明シート６４を一旦開放位置に開いた状態にし、粘着部６３上に読取り用の対象物Ｗを貼付けて保持させた後、透明シート６４を閉じて閉塞位置にする。このとき、ベース部６２の第二辺部６２ｃに形成されたスリット６５に、透明シート６４の角部を差し込むことにより、透明シート６４の角部が捲れ上がることを防止することができる。これにて、対象物Ｗは、ベース部６２と透明シート６４との間で挟まれた状態で確実に保持される。その状態で、ユーザは、切断装置１に対し保持部材６１の前端部を矢印Ａ方向に挿入する。このとき、ユーザは、方向指示標識６６を視認することで、保持部材６１を切断装置１に正しい方向で挿入することができる。
【００６４】
また、ユーザが、切断装置１において、対象物Ｗに対する切断動作を実行させたい場合には、保持部材６１の透明シート６４を開いて開放位置にして、粘着部６３上に対象物Ｗを貼付けて保持させる。そして、透明シート６４は開放位置の状態のままで、切断装置１に対し保持部材６１の前端部を挿入する。しかし、ユーザが、透明シート６４を誤って閉塞位置にして切断装置１に挿入した場合には、切断動作を実行しないようにする必要がある。
【００６５】
そこで、図９のフローチャートは、切断装置１に保持部材６１が挿入された場合に、制御回路７１がまず実行する第１標識６７の検出に関する処理の手順を概略的に示している。また、図１０のフローチャートは、第１標識６７の検出後に、ユーザにより切断動作の開始が指示された場合に、制御回路７１が実行する処理の手順を示している。更に、図１１のフローチャートは、上記図１０の処理のうち、第２標識６８の認識に関する処理（ステップＳ１２）の詳細な手順を示している。
【００６６】
即ち、まず、図９に示すように、検出センサ７６により保持部材６１が切断装置１に挿入されたことが検出されると、ステップＳ１にて、移送機構７により、第１標識６７の読取り位置、つまり保持部材６１の先端部の第二辺部６２ｃがスキャナ部６の真下に来る位置まで、保持部材６１がＹ方向における後方向に搬送される。ステップＳ２にて、スキャナ部６による第１標識６７部分の画像読取りが実行され、次のステップＳ３では、画像データに基づく第１標識６７の認識、つまり保持部材６１の種類の識別がなされる。保持部材６１の種類の識別がなされると（Ｓ３にてＹｅｓ）、ステップＳ４にて、保持部材６１が待機位置に移動されて待機状態とされる。
【００６７】
この場合、上記のように、２個の黒丸からなる第１標識６７を検出した場合には、保持部材６１と識別される。また、１個の黒丸からなる第１標識を検出した場合には、切断装置１に挿入された保持部材は、切断用保持部材であると識別される。また、上記ステップＳ３において、第１標識６７を検出（認識）できない場合がある。例えば、保持部材６１を誤って逆方向にして切断装置１に挿入した場合や、第１標識が設けられていない正規の保持部材ではないものを切断装置１に挿入した場合などである。このように、ステップＳ３において、第１標識６７を検出しない場合には（Ｓ３にてＮｏ）、ステップＳ５にて、保持部材６１の挿入方向が誤りである、又は正規の保持部材ではない旨のエラーメッセージが、ディスプレイ９ａにおける表示及びブザー７４の鳴動により、ユーザに対し報知される。その後、挿入方向が誤りである保持部材６１又は正規品ではない保持部材は、前方向に搬送されて排出される。
【００６８】
上記のように、第１標識６７の検出即ち保持部材６１の認識が行われた後、ユーザが、操作スイッチ９ｂの操作により切断動作の開始を指示すると、図１０のフローチャートに示す処理が実行される。まず、ステップＳ１１では、上記ステップＳ３で識別された保持部材の種類が、透明シート６４付きの保持部材６１であるかどうかが判断される。透明シート６４付きの保持部材６１でなかった場合、つまり、切断用保持部材であった場合には（Ｓ１１にてＮｏ）、そのままステップＳ１４に進み、保持部材に保持された対象物Ｗに対する切断動作が実行される。
【００６９】
これに対し、ステップＳ３で識別された保持部材の種類が、透明シート６４付きの保持部材６１であった場合には（Ｓ１１にてＹｅｓ）、次のステップＳ１２にて、第２標識６８の読取りの処理が実行される。ステップＳ１２の処理の詳細な手順を、図１１のフローチャートに示す。即ち、ステップＳ２１では、移送機構７により、第２標識６８の読取り位置がスキャナ部６の真下に来る位置まで、保持部材６１がＹ方向における後方向に搬送される。そして、ステップＳ２２にて、スキャナ部６による第２標識６８部分の画像読取りが実行され、次のステップＳ２３では、画像データに基づく第２標識６８の認識、即ち第２標識６８の有無の検出がなされる。
【００７０】
ここで、上記したように、透明シート６４が閉塞位置にある場合には、ステップＳ２３にて、第２標識６８が検出され、透明シート６４が開放位置にある場合には、第２標識６８は検出されない。第２標識６８の認識がなされると、ステップＳ２４にて、再び保持部材６１が待機位置に移動されて待機状態とされる。図１１の処理（図１０のステップＳ１２の処理）が終了すると、図１０に戻って、次のステップＳ１３では、第２標識６８が検出できたか、即ち透明シート６４が閉塞位置にあるかどうかが判断される。第２標識６８が検出されなかった、つまり透明シート６４が開放位置にあった場合には（ステップＳ１３にてＮｏ）、ステップＳ１４に進み、保持部材６１に保持された対象物Ｗに対する切断動作等が実行される。この場合、透明シート６４が切断されることなく切断動作を実行することができる。
【００７１】
一方、第２標識６８が検出された、つまり透明シート６４が閉塞位置にある場合には（ステップＳ１３にてＹｅｓ）、ステップＳ１５にて、切断動作の実行が不可である旨のエラーメッセージが、ディスプレイ９ａにおける表示及びブザー７４の鳴動により、ユーザに対し報知され、切断動作は実行されない。これにより、透明シート６４が切断されてしまうことが未然に防止される。
【００７２】
このように本実施形態の保持部材６１によれば、透明シート６４の基端部の接着部６４ａがベース部６２の挿入方向後方側となる第一辺部６２ｄに位置するため、透明シート６４を開放位置に移動させることにより、切断領域である粘着部６３から外れた位置に退避させることができる。従って、その状態、つまり透明シート６４をめくって開放させた状態で、切断動作を行うことができる。これにより、保持部材を、対象物Ｗの画像読取及び切断に兼用することが可能となる。
【００７３】
このとき、ユーザは、ベース部６２の挿入方向前方側である第二辺部６２ｃ側に設けられた方向指示標識６６及び第１標識６７を見て、挿入方向及び保持部材６１の種類を認識することが可能となるので、挿入方向を逆方向に誤ったり、保持部材６１の種類を間違ったりすることを抑制することができる。そして、透明シート６４の先端部に第２標識６８が設けられているので、ユーザが、ベース部６２の第二辺部６２ｃ側に第２標識６８を視認することによって、透明シート６４がベース部６２上を覆っている、つまり閉塞位置にあることを認識することができる。従って、ユーザは透明シート６４が閉塞位置にあることを容易に気付き、閉塞位置のままで切断動作を行ってしまうことを抑制する効果が得られる。そして、第１標識６７及び第２標識６８は、光学的に検出（認識）可能なので、切断装置１側でそれら標識６７，６８を自動で検出し、制御に用いることが可能となる。
【００７４】
また、特に本実施形態では、ベース部６２に、閉塞位置にある透明シート６４の先端部の角部が差し込まれて係止されるスリット６５が設けられているので、透明シート６４の閉塞位置でその先端部の角部をスリット６５に係止させておくことにより、切断装置１への挿入時や移送機構７による移動時における、透明シート６４の先端部の浮上りや引掛かりを防止することができるという利点も得られる。
【００７５】
本実施形態の切断装置１によれば、上記したような１標識６７及び第２標識６８を有した保持部材６１を備え、スキャナ部６の読取りによって、それら第１標識６７及び第２標識６８を自動で検出することを可能とすると共に、制御回路７１が、保持部材６１又は切断用保持部材が装置内に挿入されたときに、保持部材６１の第１標識６７又は切断用保持部材の第１標識を検出しない場合には、エラーメッセージを報知させるように構成した。これにより、保持部材６１又は切断用保持部材の挿入方向が誤りである、又は、正規の保持部材でないことを自動で判断することができ、そのような場合に、誤って画像読取りや切断の動作が実行されてしまうことを未然に防止することができる。
【００７６】
特に本実施形態では、第１標識６７及び第２標識６８を検出した場合には、制御回路７１２は、切断動作が実行不可である旨のメッセージを報知させ、第１標識６７を検出し且つ第２標識６８を検出しない場合には、制御回路７１は、切断動作を実行するので、保持部材６１の透明シート６４の位置がいずれにあるのかを自動で検出し、透明シート６４を切断することを防止しながら、対象物Ｗに対する切断動作を実行することが可能となる。このとき、第１標識６７の検出動作を行って第１標識６７を検出した場合にのみ、第２標識６８の検出動作を行うので、無駄な検出動作を行わずに済ませることができる。更に、本実施形態では、対象物Ｗの画像の読取りを行うスキャナ部６を、第１標識６７及び第２標識６８を検出するための検出手段として兼用したので、別途の検出手段を設ける場合と比べて構成の簡単化を図ることができるといった利点も得ることができる。
【００７７】
（２）第２、第３の実施形態、その他の実施形態
図１２は、本発明の第２の実施形態に係る保持部材８１の構成を示している。以下に述べる各実施形態では、上記第１の実施形態と同一部分については、符号を共通して使用すると共に、新たな図示や詳しい説明を省略し、異なる点についてのみ述べる。この第２の実施形態が上記第１の実施形態と異なる点は、保持部材８１の構成にある。
【００７８】
即ち、保持部材８１は、比較的軟質な合成樹脂材料から前後方向にやや長い矩形シート状に構成されたベース部８２の上面に、対象物Ｗが剥離可能に載置される粘着部８３（便宜上斜線を付して示す）を備えている。前記ベース部８２は、左右の縁部８２ａ、８２ｂを備えると共に、挿入方向前方側の第二辺部８２ｃ、挿入方向後方側の第一辺部８２ｄを有している。第二辺部８２ｃの上面部には、切断装置１に対する挿入方向を示す方向指示標識６６、自身の種類を示すための第１標識６７が設けられている。ベース部８２の上面には、粘着部８３に載置された対象物Ｗの上面を覆い挟んで保持するための透明シート６４が、閉塞位置と開放位置との間で開閉可能に設けられる。透明シート６４は、基端部が第一辺部８２ｄ上に、接着部６４ａ（太線で示す）によって接着されており、先端部に第２標識６８を有している。
【００７９】
このとき、本第２の実施形態におけるベース部８２には、スリット６５が設けられていない。そして、ベース部８２上に設けられる粘着部８３は、上記第１の実施形態の保持部材６１の粘着部６３に比べて、前方側（紙面右方）に、より広い範囲で設けられている。具体的には、粘着部６３の大きさは、透明シート６４が閉塞位置にあるとき、その粘着部６３の端部が該透明シート６４の先端部から僅かに露出する（はみ出す）大きさにされている。この第２の実施形態における保持部材８１によれば、透明シート６４の閉塞位置において、透明シート６４の先端部を粘着部６３に確実に粘着させておくことができる。これにより、保持部材８１の切断装置１への挿入時や移送機構７によるＹ方向への移動時に、透明シート６４の先端部の浮上りや引掛かりを防止することができる。
【００８０】
図１３は、本発明の第３の実施形態を示すものである。この第３の実施形態に係る保持部材９１が、上記第１の実施形態の保持部材６１と異なる点は、ベース部６２の、一方の側縁部例えば右側の縁部６２ｂのうち第一辺部６２ｄ側の端部に、挿入方向（矢印Ａ方向）と交差する方向、この場合横方向（Ｘ方向）に凸となる誤挿入防止用の突出部９２を一体に設けた構成にある。このとき、保持部材６１の突出部９２を含めた幅寸法が、前記駆動ローラ１２とピンチローラ軸１３のローラ部１３ａとの間に挿入（移動）可能な幅方向寸法よりも大きくなるように構成されている。
【００８１】
上記構成においては、保持部材９１を、切断装置１に対し、正規の向き、即ち第二辺部６２ｃを前方として挿入することは可能であり、この場合、突出部９２が、画像読取時や切断時における移送機構７による保持部材９１の前後方向（Ｙ方向）移動に支障を来すことはない。しかし、保持部材９１を、前後を間違えて第一辺部６２ｄ側から挿入しようとすると、突出部９２が引っ掛かって駆動ローラ１２とローラ部１３ａとの間への挿入が物理的に阻止されるようになる。
【００８２】
この第３の実施形態の保持部材９１においても、第１の実施形態の保持部材６１と同様の効果を得ることができ、それに加え、突出部９２を設けたことにより、切断装置１に対して、逆向き等の誤った向きでの誤挿入を確実に防止することができるという効果を得ることができる。尚、誤挿入防止用の突出部９２を設ける場合、左側の縁部６２ａに設けても良く、また、突出部９２を、右側の縁部６２ｂと左側の縁部６２ａの両方に設けても良い。また、突出部は、第一辺部６２ｄの上方又は下方に凸となるように設けることも可能である。
【００８３】
尚、上記各実施形態では、保持部材のベース部６２，８２を、合成樹脂製のシートから構成したが、厚紙又は金属板等から構成しても良い。更には、第１標識６７及び第２標識６８についても、黒点や矩形形状に限らず、各種の文字、数字、記号、図形など、画像読取りにより種類が判別可能なものであれば、様々な変更が可能である。また、標識の色を変えることにより、種類を判別するようにしても良い。その他、切断装置１の切断ヘッド５やカッタカートリッジ４、スキャナ部６等の詳細な構成についても、様々な変形が可能である等、本発明は要旨を逸脱しない範囲内で適宜変更して実施し得るものである。
【符号の説明】
【００８４】
１  切断装置
２  本体カバー
５  切断ヘッド（切断手段）
６  スキャナ部（画像読取手段）
７  移送機構
９ａ  ディスプレイ（報知手段）
６１  保持部材
６２  ベース部
６２ｃ  第二辺部
６２ｄ  第一辺部
６３  粘着部
６４  透明シート
６５  スリット
６７  第１標識
６８  第２標識
７１  制御回路（制御手段）
７４  ブザー（報知手段）
８１  保持部材
８２  ベース部
８２ｃ  第二辺部
８２ｄ  第一辺部
８３  粘着部
９１  保持部材
９２  突出部
Ｗ  対象物
【図１】
2015150647.tif 000003
【図２】
2015150647.tif 000004
【図３】
2015150647.tif 000005
【図４】
2015150647.tif 000006
【図５】
2015150647.tif 000007
【図６】
2015150647.tif 000008
【図７】
2015150647.tif 000009
【図８】
2015150647.tif 000010
【図９】
2015150647.tif 000011
【図１０】
2015150647.tif 000012
【図１１】
2015150647.tif 000013
【図１２】
2015150647.tif 000014
【図１３】
2015150647.tif 000015